(57)【要約】【課題】  カップホルダ使用時に蓋が邪魔にならないカップホルダの提供。【解決手段】  （１）リテーナ２１と、リテーナ２１のカップ支持部位２１ａに設けられた上下動可能なカップ支持プレート４１と、カップ支持プレート４１を上下動させる駆動装置４２と、を有するカップホルダ１０。（２）駆動装置４２は、電動モーター４２ａを有する。（３）駆動装置４２は、開閉可能なＸ字状リンク４２ｂと、Ｘ字状リンク４２ｂの上端と前記カップ支持プレート４１とを水平面内に摺動させる摺動機構４２ｃ、４２ｄと、Ｘ字状リンク４２ｂの下端の少なくとも一端を電動モーター４２ａに連結する連結棒４２ｅとを、有する。【選択図】        図３
2005206138.tif 000002
【特許請求の範囲】
【請求項１】
リテーナと、
前記リテーナのカップ支持部位に設けられた上下動可能なカップ支持プレートと、
前記カップ支持プレートを上下動させる駆動装置と、
を有するカップホルダ。
【請求項２】
前記駆動装置は、電動モーターを有する請求項１記載のカップホルダ。
【請求項３】
前記駆動装置は、開閉可能なＸ字状リンクと、該Ｘ字状リンクの上端と前記カップ支持プレートとを水平面内に摺動させる摺動機構と、前記Ｘ字状リンクの下端の少なくとも一端を前記電動モーターに連結する連結棒とを、有する請求項２記載のカップホルダ。
【請求項４】
ガイド面を備え、前記リテーナのカップ支持部位の周縁部に該カップ支持部位内に出入り可能に配置された複数のサポートアームと、
前記サポートアームと同数設けられ前記サポートアームを前記カップ支持部位内から出る方向に付勢する付勢バネと、
前記リテーナに対して回動可能とされ、前記サポートアームのガイド面と摺動して前記サポートアームを前記付勢バネの付勢力に抗して前記カップ支持部位内に入れるリング状部材と、
を有する請求項１記載のカップホルダ。
【発明の詳細な説明】
【技術分野】
【０００１】
本発明は、カップホルダに関し、特に車両用カップホルダに関する。
【背景技術】
【０００２】
特開平１０−２７８６５６号公報は、不使用時の見栄えを良くするために蓋を設けたカップホルダを開示している。
【０００３】
しかし、上記のカップホルダには、つぎの問題がある。
カップホルダ使用時（カップ類をカップ収納部に入れているとき）、蓋が邪魔になる。
【特許文献１】特開平１０−２７８６５６号公報
【発明の開示】
【発明が解決しようとする課題】
【０００４】
本発明が解決しようとする問題点は、カップホルダ使用時に蓋が邪魔になることである。
本発明の目的は、カップホルダ使用時に蓋が邪魔にならないカップホルダを提供することにある。
【課題を解決するための手段】
【０００５】
上記目的を達成する本発明はつぎの通りである。
（１）  リテーナと、
前記リテーナのカップ支持部位に設けられた上下動可能なカップ支持プレートと、
前記カップ支持プレートを上下動させる駆動装置と、
を有するカップホルダ。
（２）  前記駆動装置は、電動モーターを有する（１）記載のカップホルダ。
（３）  前記駆動装置は、開閉可能なＸ字状リンクと、該Ｘ字状リンクの上端と前記カップ支持プレートとを水平面内に摺動させる摺動機構と、前記Ｘ字状リンクの下端の少なくとも一端を前記電動モーターに連結する連結棒とを、有する（２）記載のカップホルダ。
（４）  ガイド面を備え、前記リテーナのカップ支持部位の周縁部に該カップ支持部位内に出入り可能に配置された複数のサポートアームと、
前記サポートアームと同数設けられ前記サポートアームを前記カップ支持部位内から出る方向に付勢する付勢バネと、
前記リテーナに対して回動可能とされ、前記サポートアームのガイド面と摺動して前記サポートアームを前記付勢バネの付勢力に抗して前記カップ支持部位内に入れるリング状部材と、
を有する（１）記載のカップホルダ。
【発明の効果】
【０００６】
上記（１）のカップホルダでは、上下動可能なカップ支持プレートが設けられているので、カップ支持プレートはカップ支持部位内で上方に移動することによりカップ支持部位の開口を閉塞してカップホルダの蓋として働くことができる。そのため、従来のような蓋（蓋としてのみ働く部材）を設ける必要はなく、カップホルダでカップを支持しているときに蓋が邪魔になることはない。
上記（２）のカップホルダでは、駆動装置が電動モーターを有するので、カップ支持プレートを手動で上下動させる必要がない。
上記（３）のカップホルダでは、連結棒を電動モーターで動かすことにより、Ｘ字状リンクを開閉できる。
上記（４）のカップホルダでは、リング状部材を回動させることでサポートアームをカップ支持部位内に付勢バネの付勢力に抗して入れることができ、リング状部材を反対方向に回動させることで付勢バネの付勢力によりサポートアームをカップ支持部位内から出すことができる。そのため、カップ支持部以内に入り込んでいるサポートアームをカップ支持部位内から出すときに複数のサポートアームのうちの一つに指等が引っ掛かっても、指等が引っ掛かったサポートアームのみを付勢バネの付勢力に抗してカップ支持部位内の中心側に移動させることにより、引っ掛かった指等をサポートアームから外すことができる。
【発明を実施するための最良の形態】
【０００７】
本発明実施例のカップホルダを、図１〜図１０を参照して説明する。
本発明実施例のカップホルダは、車両用カップホルダであり、車両の内装部材であるインスツルメントパネル、コンソールパネル等に設けられる。
本発明実施例のカップホルダ１０は、図１〜図４に示すように、リテーナサブアッセンブリ２０（図１）と、ベースサブアッセンブリ３０（図２）と、支持プレートサブアッセンブリ４０（図３）と、カバー５０（図４）とを、有する。
【０００８】
リテーナサブアッセンブリ２０は、図１に示すように、リテーナ２１と、サポートアーム２２と、付勢バネ２３を、有する。
リテーナ２１は、カップ支持部位２１ａと、サポートアーム取付け部２１ｂと、ボス部用穴２１ｃを、有する。
カップ支持部位２１ａは、少なくとも１つ設けられる（図示例では、２つ設けられている場合を示している）。カップ支持部位２１ａは、上下両方向に開放している。
サポートアーム取付け部２１ｂは、リテーナ２１の上面に設けられている。サポートアーム取付け部２１ｂは、カップ支持部位２１ａの上方の開口の周縁部に設けられている。サポートアーム取付け部２１ｂは、サポートアーム２２と同数設けられている。
ボス用穴２１ｃは、リテーナ２１の上壁に設けられている。ボス用穴２１ｃは、カップ支持部位２１ａの上方の開口の周縁部に、カップ支持部位２１ａの開口から距離を隔てて設けられている。ボス用穴２１ｃは、後述のボス部３２ｃと同数設けられている。
【０００９】
サポートアーム２２は、複数からなる（図示例では、１つのカップ支持部位２１ａに対して３つある場合を示している）。サポートアーム２２は、カップ支持部位２１ａの中心Ｏを中心として弧状に延びるアーム本体２２ａと、アーム本体２２ａの外面（外表面）に形成されたガイド部２２ｂを有する。
【００１０】
アーム本体２２ａは、リテーナ２１のサポートアーム取付け部２１ｂにスクリュ６０ａで水平面内で揺動可能に取付けられる。アーム本体２２ａがリテーナ２１に揺動可能に取付けられるので、サポートアーム２２はリテーナ２１に揺動可能に支持される。以下、サポートアーム２２の揺動中心をＰとする。
【００１１】
ガイド部２２ｂは、アーム本体２２ａに一体に形成されていてもよく、アーム本体２２ａと別体に形成されてアーム本体２１ａに固定して取付けられていてもよい。ガイド部２２ｂは、ほぼ弧状に延びており、アーム本体２２ａの長手方向中間部から揺動中心Ｐの近傍まで設けられている。
ガイド部２２ｂの外表面には、、ガイド面２２ｃが設けられている。ガイド面２２ｃはガイド部２２ｂの外面の全体にわたって設けられていてもよく、ガイド部２２ｂの外面の一部にのみ設けられていてもよい。ガイド面２２ｃは、揺動中心Ｐから離れる方向にいくにつれてカップ支持部位２１ａの中心Ｏに近づく方向に傾斜する傾斜面になっている。ガイド面２２ｃは、平面であってもよく、１つまたは複数の曲率をもつ曲面であってもよい。
【００１２】
付勢バネ２３は、たとえばコイルバネからなる。ただし、付勢バネ２３は、コイルバネに限定されるものではない。付勢バネ２３は、１つのサポートアーム２２に１個設けられている。付勢バネ２３の一端はリテーナ２１に当てられており、付勢バネ２３の他端はサポートアーム２２に当てられている。付勢バネ２３は、サポートアーム２２を揺動付勢する。付勢バネ２３は、サポートアーム２２をカップ支持部位２１ａから出ていく方向に付勢する。
【００１３】
ベースサブアッセンブリ３０は、図２に示すように、ベース３１と、リング状部材３２と、リング状部材用モーター３３と、リミットスイッチ基板３４を、有する。ベースサブアッセンブリ３０は、ベース３１をリテーナ２１に下からスクリュ６０ｂで取付けることにより、リテーナサブアッセンブリ２０に固定して取付けられる。
ベース３１は、リテーナ２１のカップ支持部位２１ａが入り込む穴３１ａと、リング状部材用モーター３３のギヤ３３ａが挿入されるギヤ用穴３１ｂを有する。
【００１４】
リング状部材３２は、ベース３１の上面に置かれている。リング状部材３２は、穴３１ａの周縁部に置かれる。リング状部材３２の中心は、リテーナ２１のカップ支持部位２１ａの中心Ｏと一致している。リング状部材３２は、ベース３１に対して中心Ｏまわりに回動可能とされている。リング状部材３２は、本体部３２ａと、ギヤ部３２ｂと、ボス部３２ｃを有する。
ギヤ部３２ｂは、本体部３２ａの側面に設けられている。ギヤ部３２ｂは、リング状部材用モーター３３のギヤ３３ａと噛合う。ギヤ部３２ｂがリング状部材用モーター３３のギヤ３３ａと噛合うので、リング状部材用モーター３３が駆動するとリング状部材３２が回動する。
ボス部３２ｃは、本体部３２ａの上面から上方に（リテーナ２１側に）突出して設けられている。ボス部３２ｃは、少なくとも１個設けられている（図示例では、３つ設けられている場合を示している）。ボス部３２ｃは、複数設けられる場合、本体部３２ａの周方向の異なる位置に設けられる。ボス部３２ｃは、ボス用穴２１ｃを挿通してサポートアーム２２のガイド面２２ｃに摺接可能とされている。ボス部３２ｃは、リング状部材３２がベース３１に対して回動したとき、サポートアーム２２のガイド面２２ｃと摺動接触する。
【００１５】
リング状部材用モーター３３は、ベース３１にスクリュ６０ｃで取付けられる。リング状部材用モーター３３は、ベース３１のギヤ用穴３１ｂを挿通してリング状部材３２のギヤ部３２ｂと噛合うギヤ３３ａを有する。
リミットスイッチ基板３４は、スクリュ６０ｄでベース３１に取付けられる。
【００１６】
支持プレートサブアッセンブリ４０は、図３に示すように、リテーナ２１のカップ支持部位２１ａに設けられ上下動可能なカップ支持プレート４１と、カップ支持プレート４１を上下動させる駆動装置４２と、ロアカバー４３とを有する。
カップ支持プレート４１は、平板形状である。カップ支持プレート４１は、カップ支持部位２１内で上下動可能である。
【００１７】
駆動装置４２は、電動モーター４２ａと、開閉可能なＸ字状リンク４２ｂと、Ｘ字状リンク４２ｂの上端とカップ支持プレート４１とを水平面内に摺動させる第１の摺動機構４２ｃと、Ｘ字状リンク４２ｂの下端とロアカバー４３とを水平面内に摺動させる第２の摺動機構４２ｄと、Ｘ字状リンク４２ｂの下端を電動モーター４２ａに連結する連結棒４２ｅを有する。
【００１８】
電動モーター４２ａは、スクリュ６０ｅでベース３１に取付けられる。電動モーター４２ａはギヤ４２ｆを有する。
Ｘ字状リンク４２ｂは、２つの棒状リンク４２ｇ、４２ｈからなる。Ｘ字状リンク４２ｂは、棒状リンク４２ｇ、４２ｈの長手方向中央部をスクリュ６０ｆで回動可能に連結することにより、構成される。
第１の摺動機構４２ｃは、カップ支持プレート４１の下面に設けられた溝部４２ｉと、Ｘ字状リンク４２の上端部に設けられ溝部４２ｉに嵌められる上側凸部４２ｊと、からなる。溝部４２ｉは、長溝になっており、上側凸部４２ｊは、溝部４２ｉ内を溝長手方向に移動可能である。
第２の摺動機構４２ｄは、ロアカバー４３の上面に設けられたロアカバー側溝部４２ｋと、Ｘ字状リンク４２ｂの下端部に設けられロアカバー側溝部４２ｋに嵌められる下側凸部４２ｍと、からなる。ロアカバー側溝部４２ｋは、溝部４２ｉと同方向に延びる長溝になっている。下側凸部４２ｍは、ロアカバー側溝部４２ｋ内を溝長手方向に移動可能である。
【００１９】
連結棒４２ｅは、ロアカバー４３に設けられたガイド４３ａに沿って、溝部４２ｉおよびロアカバー側溝部４２ｋの長手方向と同方向に移動可能とされている。連結棒４２ｅは、一部品構成であってもよく、図１０に示すように、二部品構成であってもよい。
連結棒４２ｅの長手方向一端部は、Ｘ字状リンク４２ｂの下端と連結されている。連結棒４２ｅは、一部品構成である場合、Ｘ字状リンク４２ｂの下端の一端とのみ連結され、二部品構成である場合、Ｘ字状リンク４２ｂの下端の両端と連結される。
連結棒４２ｅは、図３に示すように、電動モーター４２ａのギヤ４２ｆと噛合うギヤ４２ｎを有する。連結棒４２ｅは、Ｘ字状リンクの下端の少なくとも一端を電動モーター４２ａに連結する。
【００２０】
ロアカバー４３は、スクリュ６０ｇで、リテーナ２１またはベース３１に取付けられる。ロアカバー４３の上面には、連結棒４２ｅを直線動可能に支持するガイド４３ａが設けられている。
【００２１】
カバー５０は、図４に示すように、第１のカバー５１と、第２のカバー５２と、からなる。
第１のカバー５１は、リテーナ２０の上面に取付けられる。第１のカバー５１には、カップ支持部位２１ａを開放するために、カップ挿入用穴５１ａが設けられている。
第２のカバー５２は、第１のカバー５１と一体に形成されていてもよく、第１のカバー５１と別体に形成されて第１のカバー５１に固定して取付けられていてもよい（図示例では、第１のカバー５１と別体に形成されて第１のカバー５１に取付けられる場合を示している）。
第２のカバー５２には、図７に示すように、センサ５３が取付けられる。センサ５３は、カップ支持部位２１ａにカップ等があるか否かを（カップ支持部位２１ａにカップ等が入れられたか抜かれたかを）感知するセンサである。
【００２２】
ここで、本発明実施例の作動を説明する。
（ａ）カップホルダ１０不使用時（カップ等をカップ支持部位２１ａに入れていないとき）
図７に示すように、カップ支持プレート４１はカップ支持部位２１ａ内で上方位置にある。カップ支持プレート４１は、カップ支持部位２１ａの開口の全体またはほぼ全体を閉塞しており、カップホルダ１０の蓋として働く。
サポートアーム２２は、図６に示すように、付勢バネ２３の付勢力により、カップ支持部位２１ａ内に入り込んでいない。
【００２３】
（ｂ）カップ支持プレート４１にカップ等を置いたとき
センサ５３がカップ支持プレート４１にカップ等が置かれたことを感知し、その信号をリミットスイッチ基板３４に送る。信号を受けたリミットスイッチ基板３４は、電動モーター４２ａに指示を送る。指示を受けた電動モーター４２ａは、駆動してギヤ４２ｆを回転させる。ギヤ４２ｆが回転することにより、連結棒４２ｅがガイド４３ａに沿って移動する（図９の左方に移動する）。連結棒４２ｅが移動することにより、Ｘ字状リンク４２ｂが開き、カップ支持プレート４１が上面にカップ等を乗せた状態でカップ支持部位２１ａ内を下方に移動する。
カップ支持プレート４１が所定の位置まで下方に移動したとき、リミットスイッチ基板３４がリング状部材用モーター３３に指示を送る。指示を受けたリング状部材用モーター３３は、駆動してギヤ３３ａを回転させる。ギヤ３３ａが回転することにより、図８に示すように、リング状部材３２が中心ＯまわりにＡ方向に回動する。リング状部材３２が回動することにより、ボス部３２ｃとガイド面２２ｃが摺動し、サポートアーム２２がカップ支持部位２１ａ内に入る方向に付勢バネ２３の付勢力に抗して揺動し、カップ等の側壁をサポートする。
【００２４】
（ｃ）カップ支持部位２１ａからカップ等を取り除いたとき
センサ５３がカップ支持部位２１ａからカップ等が取り除かれたことを感知し、その信号をリミットスイッチ基板３４に送る。信号を受けたリミットスイッチ基板３４は、リング状部材用モーター３３に指示を送る。指示を受けたリング状部材用モーター３３は、駆動して、ギヤ３３ａを、カップ支持プレート４１にカップ等を置いたときと反対方向に回転させる。ギヤ３３ａが回転することにより、リング状部材３２が反Ａ方向に回動する。リング状部材３２が回動することによりサポートアーム３２が付勢バネ２３の付勢力によりカップ支持部位２１ａから出ていく。
サポートアーム２２がカップ支持部位２１ａから出たとき、リミットスイッチ基板３４は、電動モーター４２ａに指示を送る。指示を受けた電動モーター４２ａは、駆動してギヤ４２ｆを、カップ支持プレート４１にカップ等を置いたときと反対方向に回転させる。ギヤ４２ｆが回転することにより、連結棒４２ｅがガイド４３ａに沿って移動する（図９の右方に移動する）。連結棒４２ｅが移動することにより、Ｘ字状リンク４２ｂが閉じる方向に移動し、カップ支持プレート４１が上方位置まで上昇する。
【００２５】
本発明実施例の作用、効果を説明する。
本発明実施例では、上下動可能なカップ支持プレート４１が設けられているので、カップ支持プレート４１はカップ支持部位２１ａ内で上方に移動することによりカップ支持部位２１ａの開口を閉塞してカップホルダ１０の蓋として働くことができる。そのため、従来のような蓋（蓋としてのみ働く部材）を設ける必要はなく、カップホルダ１０でカップ等を支持しているときに蓋が邪魔になることはない。
また、カップ支持プレート４１にカップ等を乗せるだけで電動モーター４２ａが作動しカップ支持プレート４１が下方に下がるので、従来のカップホルダと異なり、蓋を開けてカップ等を入れるという手間がなくなる。
【図面の簡単な説明】
【００２６】
【図１】本発明実施例のカップホルダの、リテーナサブアッセンブリの分解斜視図である。
【図２】本発明実施例のカップホルダの、ベースサブアッセンブリの分解斜視図である。
【図３】本発明実施例のカップホルダの、支持プレートサブアッセンブリの分解斜視図である。
【図４】本発明実施例のカップホルダの、カバーを示す分解斜視図である。
【図５】本発明実施例のカップホルダの斜視図である。
【図６】本発明実施例のカップホルダのカップホルダを不使用時の平面図である。
【図７】図６のＢ−Ｂ線断面図である。
【図８】本発明実施例のカップホルダのカップホルダ使用時の平面図である。
【図９】図８のＣ−Ｃ線断面図である。
【図１０】本発明実施例のカップホルダの、連結棒が二部品構成である場合を示す断面図である。
【符号の説明】
【００２７】
１０  カップホルダ
２０  リテーナサブアッセンブリ
２１  リテーナ
２１ａ  カップ支持部位
２２  サポートアーム
２２ｃ  サポートアームのガイド面
２３  付勢バネ
３０  ベースサブアッセンブリ
３１  ベース
３２  リング状部材
３３  リング状部材用モーター
３４  リミットスイッチ基板
４０  支持プレートサブアッセンブリ
４１  カップ支持プレート
４２  駆動装置
４２ａ  電動モーター
４２ｂ  Ｘ字状リンク
４２ｃ  第１の摺動機構
４２ｄ  第２の摺動機構
４２ｅ  連結棒
４３  ロアカバー
５０  カバー
５１  第１のカバー
５２  第２のカバー
Ｏ  カップ支持部位の中心
Ｐ  サポートアームの揺動中心
【図１】
2005206138.tif 000003
【図２】
2005206138.tif 000004
【図３】
2005206138.tif 000005
【図４】
2005206138.tif 000006
【図５】
2005206138.tif 000007
【図６】
2005206138.tif 000008
【図７】
2005206138.tif 000009
【図８】
2005206138.tif 000010
【図９】
2005206138.tif 000011
【図１０】
2005206138.tif 000012